(57)【特許請求の範囲】
【請求項１】
有料の交通機関の利用に用いられる媒体から利用者の識別情報を読み取る読取部と、
前記交通機関の利用を管理する管理サーバと通信する通信部と、
前記交通機関の利用を証する利用証を発行する発行部と、
前記読取部により読み取られた利用者の識別情報を前記管理サーバに送信するように前記通信部を制御し、前記管理サーバから前記通信部に返信された前記利用者が利用した対象区間の先着順の情報に基づいて、前記利用証に前記先着順の情報を表示して発行するように前記発行部を制御する制御部と、
を備える利用証発行装置。
【請求項２】
前記管理サーバから前記通信部に返信される情報は、前記利用者による前記交通機関の利用履歴を含み、
利用者の入力操作を受け付けると共に画像を表示する入力・表示部を備え、
前記制御部は、前記交通機関の利用履歴に基づく画像を前記入力・表示部に表示させ、前記利用者により前記入力・表示部を用いて選択された利用履歴に対応する利用証を発行するように前記発行部を制御する、
請求項１記載の利用証発行装置。
【請求項３】
前記制御部は、前記利用者が利用した対象区間の土地柄を表す図案を前記利用証に表示されるように、前記発行部を制御する、
請求項１記載の利用証発行装置。
【請求項４】
有料の交通機関の利用を管理する管理サーバであって、
前記交通機関の利用を証する利用証を発行する利用証発行装置と通信するサーバ側通信部と、
前記交通機関で、前記利用証の発行対象となる対象区間に関する対象区間情報、および前記利用証の発行対象となる対象区間の利用に係る先着順の情報を含む前記交通機関の利用履歴情報を記憶する記憶部と、
前記利用証発行装置から前記サーバ側通信部に利用者の識別情報の受信に対応し、前記対象区間に該当する利用履歴及び先着順の情報を前記利用履歴情報から抽出し、前記抽出した利用履歴及び前記先着順の情報を前記利用証発行装置に送信するように前記サーバ側通信部を制御するサーバ側制御部と、
を備える管理サーバ。
【請求項５】
前記対象区間情報には、前記利用証の発行対象となる前記交通機関の利用期間に関する情報が更に含まれ、
前記サーバ側制御部は、前記対象区間および前記利用期間に該当する利用履歴を前記利用履歴情報から抽出し、前記抽出した利用履歴を前記利用証発行装置に送信するように前記サーバ側通信部を制御する、
請求項４記載の管理サーバ。
【請求項６】
前記サーバ側制御部は、前記利用証発行装置が前記対象区間の土地柄を表す図案を含む情報を、前記利用証発行装置に送信するように前記サーバ側通信部を制御する、
請求項４記載の管理サーバ。
【請求項７】
前記対象区間情報には、前記利用証の発行場所に関する情報が更に含まれ、
前記サーバ側制御部は、前記利用者の識別情報の送信元である利用証発行装置が前記発行場所に該当する利用履歴を前記利用履歴情報から抽出し、前記抽出した利用履歴を前記利用証発行装置に送信するように前記サーバ側通信部を制御する、
請求項４記載の管理サーバ。
【請求項８】
有料の交通機関の利用を管理する管理サーバの管理プロクラムであって、
前記交通機関の利用を証する利用証を発行する利用証発行装置と通信するサーバ側通信部と、前記利用証の発行対象の前記交通機関の対象区間の利用に係る先着順の情報を含む前記交通機関の利用履歴情報、および前記利用証の発行対象となる前記交通機関の対象区間に関する対象区間情報を記憶する記憶部とを備える管理サーバに、
前記利用証発行装置から前記サーバ側通信部により受信した利用者の識別情報に対応し、前記対象区間に該当する利用履歴及び先着順の情報を前記利用履歴情報から抽出させ、
前記抽出させた利用履歴及び先着順の情報を前記利用証発行装置に送信するように前記サーバ側通信部を制御させる、
管理プログラム。
【請求項９】
前記対象区間情報には、前記利用証の発行対象となる前記交通機関の利用期間に関する情報が更に含まれ、
前記管理サーバに、
前記対象区間および前記利用期間に該当する利用履歴を前記利用履歴情報から抽出させ、
前記抽出させた利用履歴を前記利用証発行装置に送信するように前記サーバ側通信部を制御させる、
請求項８記載の管理プログラム。
【請求項１０】
前記管理サーバに、
前記利用証発行装置が前記対象区間の土地柄を表す図案を含む前記利用証を発行するための情報を、前記利用証発行装置に送信するように前記サーバ側通信部を制御させる、
請求項８記載の管理プログラム。
【請求項１１】
前記対象区間情報には、前記利用証の発行場所に関する情報が更に含まれ、
前記管理サーバに、
前記利用者の識別情報の送信元である利用証発行装置が前記発行場所に該当する利用履歴を前記利用履歴情報から抽出させ、前記抽出させた利用履歴を前記利用証発行装置に送信するように前記サーバ側通信部を制御させる、
請求項８記載の管理プログラム。
【発明の詳細な説明】
【技術分野】
【０００１】
本発明の実施形態は、利用証発行装置、管理サーバ、および管理プログラムに関する。
【背景技術】
【０００２】
従来、各種イベントへの参加や乗物への乗車・搭乗等の記念として適した記念チケットの印刷が可能なシステムが知られている。しかしながら、有料の交通機関の分野において同様のサービスを行うものは知られていなかった。
【先行技術文献】
【特許文献】
【０００３】
【特許文献１】特開２００５−１１０４１号公報
【発明の概要】
【発明が解決しようとする課題】
【０００４】
本発明が解決しようとする課題は、有料の交通機関の利用証を自動的に発行することができる利用証発行装置、管理サーバ、および管理プログラムを提供することである。
【課題を解決するための手段】
【０００５】
実施形態の利用証発行装置は、読取部と、通信部と、発行部と、制御部とを備える。読取部は、有料の交通機関の利用に用いられる媒体から利用者の識別情報を読み取る。通信部は、前記交通機関の利用を管理する管理サーバと通信する。発行部は、前記交通機関の利用を証する利用証を発行する。制御部は、前記読取部により読み取られた利用者の識別情報を前記管理サーバに送信するように前記通信部を制御し、前記管理サーバから前記通信部に返信された前記利用者が利用した対象区間の先着順の情報に基づいて、前記利用証に前記先着順の情報を表示して発行するように前記発行部を制御する。
【図面の簡単な説明】
【０００６】
【図１】実施形態の利用証発行装置１の外観構成図。
【図２】実施形態の利用証発行装置１および管理サーバ１００の機能構成図。
【図３】利用証の内容を例示した図。
【図４】個人情報テーブル１３２として記憶される情報の一例を示す図。
【図５】利用履歴テーブル１３４として記憶される情報の一例を示す図。
【図６】対象区間テーブル１３６として記憶される情報の一例を示す図。
【図７】利用証が発行可能となる場面の例を示す図。
【図８】利用証発行装置１および管理サーバ１００により実行される処理の流れの一例を示すフローチャート。
【図９】利用証発行装置１および管理サーバ１００により実行される処理の流れの他の例を示すフローチャート。
【発明を実施するための形態】
【０００７】
以下、実施形態の利用証発行装置、管理サーバ、および管理プログラムを、図面を参照して説明する。以下の説明では、利用証発行装置は、有料道路の利用証を発行する装置であり、有料道路の利用に用いられる媒体は、ＥＴＣ（Electronic Toll Collection System）カードであるものとして説明する。利用証発行装置は、例えば、有料道路のサービスエリアまたはパーキングエリア、有料道路の出口付近のコンビニエンスストアなどに設置される。なお、これに限らず、利用証発行装置は、鉄道の利用証を発行する装置であり、鉄道の利用に用いられる媒体は、交通系のＩＣカード或いはこれと同等の機能を有する携帯電話などの電子媒体であってもよい。
【０００８】
図１は、実施形態の利用証発行装置１の外観構成図である。図１に示すように、利用証発行装置１は、ＥＴＣカード挿入口２と、割引券排出口３と、入力・表示部４と、コイン投入口５と、利用証排出口６とを備える。
【０００９】
図２は、実施形態の利用証発行装置１および管理サーバ１００の機能構成図である。図２に示すように、利用証発行装置１は、入力・表示部４と、リーダ部１０と、通信部１１と、金銭収受部１２と、発行部１３と、制御部２０とを備える。
【００１０】
ＥＴＣカード挿入口２には、利用者のＥＴＣカードが挿入される。ＥＴＣカードは、例えば接触型ＩＣカードである。リーダ部１０は、ＥＴＣカード挿入口２の内部に設けられ、挿入されたＥＴＣカードから情報を読み取る。
【００１１】
割引券排出口３からは、利用証の発行に伴って発行される観光地の割引券などが排出される。
【００１２】
入力・表示部４は、例えばタッチパネル式ディスプレイ装置である。入力・表示部４は、管理サーバ１００から通信部１１が受信する利用履歴などに基づく画像を表示すると共に、利用者によるタッチ操作の位置を検出する。なお、利用証発行装置１は、専用キーやダイヤル、スライドスイッチなどの操作デバイスを備えてもよい。
【００１３】
コイン投入口５には、利用証の発行料金としてコイン（硬貨）が投入される。コイン投入口５の内部の金銭収受部１２は、コイン投入口５に投入されたコインを計数し、計数結果が利用証の発行料金以上である場合に、その旨を示す情報を発行部１３に出力する。なお、金銭収受部１２は、ＥＴＣの機能を利用して、利用証の発行料金をクレジット決済で収受してもよい。
【００１４】
利用証排出口６からは、発行部１３により発行された利用証が排出される。利用証とは、有料道路の利用を証する証書であり、より具体的には、例えば有料道路の対象区間の利用を証する証書である。図３は、利用証の内容を例示した図である。図示するように、利用証には、「記念通行証」などのタイトル、発行日、対象区間、発行元などが印刷される。対象区間は、例えば新しい路線が開通したときに設定される。また、利用証には、その対象区間が設定されて以来、何番目の利用者であるかを示す情報が印刷されてよい。
【００１５】
また、利用証には、対象区間の土地柄を示す図案Ｍが印刷されてよい。この図案Ｍは、例えば後述する管理サーバ１００から送信される画像データに基づいて印刷される。また、これに代えて、利用証発行装置１が図案の元になる画像データを幾つか保持しておき、管理サーバ１００によって選択されたものが印刷されるようにしてもよい。
【００１６】
なお、利用証は、紙媒体に印刷されたものでなく、携帯電話などの電子デバイスに送信される画像データであってもよい。この場合、利用者は、電子デバイスにおいて画像を起動させることで、利用証を視認することができる。
【００１７】
利用証発行装置１は、管理サーバ１００と通信することで、利用証の発行に必要なデータを取得する。通信部１１は、ＷＡＮ（Wide Area Network）やＬＡＮ（Local Area Network）などのネットワークＮＷを介して管理サーバ１００と通信するための通信インターフェースなどを含む。
【００１８】
管理サーバ１００は、例えば、ＥＴＣを管理する事業者によって運営される。管理サーバ１００は、ＣＰＵ（Central Processing Unit）などのプロセッサ、ＲＯＭ（Read Only Memory）やＲＡＭ（Random Access Memory）、ＨＤＤ（Hard Disk Drive）、フラッシュメモリなどの記憶装置、ネットワークＮＷに接続するためのサーバ側通信部１１０などを含むコンピュータ装置である。なお、管理サーバ１００が使用する記憶装置の一部は、ネットワークＮＷに接続されたＮＡＳ（Network Attached Storage）装置であってもよい。
【００１９】
管理サーバ１００は、サーバ側通信部１１０の他、プロセッサがプログラムを実行することで機能するサーバ側制御部１２０と、上記各種記憶装置により実現される記憶部１３０とを備える。なお、サーバ側制御部１２０は、ＬＳＩ（Large Scale Integration）やＡＳＩＣ（Application Specific Integrated Circuit）などのハードウェア機能部であってもよい。記憶部１３０には、個人情報テーブル１３２、利用履歴テーブル１３４、対象区間テーブル１３６などが記憶される。これらのテーブルに記憶される情報は、サーバ側制御部１２０によって制御される。
【００２０】
図４は、個人情報テーブル１３２として記憶される情報の一例を示す図である。図示するように、個人情報テーブル１３２には、利用者の識別情報であるＩＤに対応付けられて、利用者の氏名や住所などの情報が記憶される。サーバ側制御部１２０は、図示しない会員入会受付端末から入力された情報に基づいて、個人情報テーブル１３２に新たなレコードの追加、レコードの編集または削除を行う。
【００２１】
図５は、利用履歴テーブル１３４として記憶される情報の一例を示す図である。図示するように、個人情報テーブル１３２には、利用者の識別情報であるＩＤに対応付けられて、利用日時、入口料金所、出口料金所、発行可否を示す情報、発行済か否かを示す情報などが記憶される。図中、発行可否における「ＯＫ」は発行可能であることを、「ＮＧ」は発行不可であることを示す。サーバ側制御部１２０は、図示しないＥＴＣ路側装置から入力された情報に基づいて、利用履歴テーブル１３４に新たなレコードの追加、レコードの編集または削除を行う。また、サーバ側制御部１２０は、対象区間テーブル１３６に記憶された情報を参照して発行可否の判定を行ない、発行可否を示す情報を利用履歴テーブル１３４に書き込む。また、サーバ側制御部１２０は、利用証発行装置１から入力された情報に基づいて、利用履歴テーブル１３４における発行済か否かを示す情報を更新する。
【００２２】
図６は、対象区間テーブル１３６として記憶される情報の一例を示す図である。図示するように、対象区間テーブル１３６には、開始日時と終了日時で規定される利用期間に関する制約情報と、対象区間と、その対象区間に関する利用証の発行場所と、現在の日付における発行可否を示す情報と、先着制限の有無および人数とが、互いに対応付けられて記憶される。本実施形態における利用証は、対象区間を開始日時と終了日時の間に通行した場合に（或いは通行する見込みである場合に）、対象区間テーブル１３６によって規定されている発行場所で発行される。
【００２３】
図７は、利用証が発行可能となる場面の例を示す図である。図７に示すように、利用証は、有料道路ＴＲの対象区間である料金所Ａと料金所Ｂを通行した後のサービスエリアまたはパーキングエリア（図中、ＳＡ／ＰＡ）ｘ、或いは対象区間を通行して有料道路ＴＲから退出した一般道ＦＲにあるコンビニエンスストアｙなどで発行される。サーバ側制御部１２０は、例えば、図５におけるレコードＲ２に基づいて、対象の利用者に対し、サービスエリアまたはパーキングエリアｘ、或いはコンビニエンスストアｙで利用証を発行可能であると判定する。
【００２４】
また、図７に示すように、利用証は、有料道路ＴＲの対象区間である料金所Ａと料金所Ｂの間にあるサービスエリアまたはパーキングエリアｚにおいて発行可能としてもよい。サービスエリアまたはパーキングエリアｚに車両があるということは、その後に料金所Ｂを通行する、すなわち対象区間ＡからＢを通行する見込みだからである。サーバ側制御部１２０は、例えば、図５におけるレコードＲ１に基づいて、対象の利用者に対し、サービスエリアまたはパーキングエリアｚで利用証を発行可能であると判定する。
【００２５】
なお、図７に示す場面に限らず、例えば、ＥＴＣの料金収受機が利用証発行装置を兼ねてもよい。
【００２６】
利用証発行装置１の説明に戻る。発行部１３は、例えば、利用証の元になる基材を蓄積するスタッカ、スタッカから印刷部に基材を搬送する搬送部、基材に印刷する印刷部、印刷部によって印刷された利用証を利用証排出口６に排出する排出部などを備える。発行部による印刷内容などは、制御部２０によって制御される。
【００２７】
制御部２０は、サーバ側制御部１２０と同様、ＣＰＵなどのプロセッサがプログラムを実行することにより機能するソフトウェア機能部である。なお、制御部２０は、ＬＳＩやＡＳＩＣなどのハードウェア機能部であってもよい。制御部２０は、利用者によってＥＴＣカードがＥＴＣカード挿入口２に挿入されたときに、ＥＴＣカードからリーダ部によって読み取られるＩＤを管理サーバ１００に送信するように通信部１１を制御する。そして、管理サーバ１００から返信され通信部１１によって受信された情報に基づいて、利用証を発行部１３に発行させるか否かを決定する。また、制御部２０は、管理サーバ１００から返信され通信部１１によって受信された情報に基づいて、利用証の内容を決定する。
【００２８】
以下、上記のようなサービスを実現するために利用証発行装置１および管理サーバ１００が実行する処理の内容について説明する。
図８は、利用証発行装置１および管理サーバ１００により実行される処理の流れの一例を示すフローチャートである。
【００２９】
まず、利用証発行装置１は、ＥＴＣカード挿入口２にＥＴＣカードが挿入されるまで待機する（ステップＳ２００）。ＥＴＣカード挿入口２にＥＴＣカードが挿入されると、利用証発行装置１の制御部２０は、ＥＴＣカードからＩＤを読み取り、読み取ったＩＤを管理サーバ１００に送信するようにリーダ部１０および通信部１１を制御する（ステップＳ２０２）。
【００３０】
管理サーバ１００のサーバ側制御部１２０は、サーバ側通信部１１０により受信したＩＤで利用履歴テーブル１３４を検索し、該当するＥＴＣカードが利用可能であるか否かを判定する（ステップＳ２０４）。そして、管理サーバ１００のサーバ側制御部１２０は、ＥＴＣカードの利用可否を示す情報を利用証発行装置１に送信するようにサーバ側通信部１１０を制御する（ステップＳ２０６）。
【００３１】
利用証発行装置１の制御部２０は、通信部１１により受信された情報に基づいて、ステップＳ２００で挿入されたＥＴＣカードが利用可能であるか否かを判定する（ステップＳ２０８）。ＥＴＣカードが利用可能でないと判定した場合、利用証発行装置１の制御部２０は、ＥＴＣカードを利用者に返却するように、図示しない排出機構を制御する（ステップＳ２２６）。
【００３２】
一方、ＥＴＣカードが利用可能であると判定した場合、利用証発行装置１の制御部２０は、受信可能な利用履歴のレコード数を管理サーバ１００に送信するように、通信部１１を制御する（ステップＳ２１０）。この「受信可能な利用履歴のレコード数」は、例えば、利用証発行装置１の仕様に基づいて決定される数である。例えば、高性能な利用証発行装置１の場合、「受信可能な利用履歴のレコード数」は多くなり、低性能な利用証発行装置１の場合、「受信可能な利用履歴のレコード数」は少なくなる。
【００３３】
管理サーバ１００のサーバ側制御部１２０は、サーバ側通信部１１０により受信したレコード数分の最新の利用履歴であって、利用者のＩＤ、対象区間、期間、先着順、および発行場所に関する条件を満たす利用履歴を利用履歴テーブル１３４から読み出し（抽出し）、読み出した利用履歴を利用証発行装置１に送信するようにサーバ側通信部１１０を制御する（ステップＳ２１２）。
【００３４】
利用証発行装置１の制御部２０は、通信部１１により受信された情報に基づいて、利用履歴を入力・表示部４に表示させる（ステップＳ２１４）。次に、利用証発行装置１の制御部２０は、表示させた利用履歴のうち１つの利用履歴が選択されたか否かを判定する（ステップＳ２１６）。表示させた利用履歴のうち１つの利用履歴が選択されると、利用証発行装置１の制御部２０は、投入された金額が利用証の発行料金以上であることを示す情報が金銭収受部１２から入力されたか否かを判定する（ステップＳ２１８）。なお、ステップＳ２１６とステップＳ２１８の判定は、図８に示す順序ではなく、ステップＳ２１８の判定が先に行われてもよいし、順序に関係なく、双方が満たされたか否かを一度に判定するようにしてもよい。
【００３５】
表示させた利用履歴のうち１つの利用履歴が選択され、且つ投入された金額が利用証の発行料金以上であることを示す情報が金銭収受部１２から入力された場合、利用証発行装置１の制御部２０は、利用証の発行を管理サーバ１００に通知するように通信部１１を制御する（ステップＳ２２０）。管理サーバ１００は、選択された利用履歴に対応する画像データを利用証発行装置１に送信するようにサーバ側通信部１１０を制御する（ステップＳ２２２）。ここで、「選択された利用履歴に対応する画像データ」とは、選択された利用履歴が表す対象区間の土地柄を示す図案Ｍ（図３参照）の画像データである。
【００３６】
画像データを受信すると、利用証発行装置１の制御部２０は、画像データを反映させて利用証を発行するように発行部１３を制御する（ステップＳ２２４）。次に、利用証発行装置１の制御部２０は、ＥＴＣカードを利用者に返却するように、図示しない排出機構を制御する（ステップＳ２２６）。一方、管理サーバ１００のサーバ側制御部１２０は、利用履歴の対象レコードにおける「発行済」の項目を、「済」に変更する（ステップＳ２２８）。
【００３７】
（その他の実施形態）
なお、利用証発行装置１は、図８のフローチャートで例示した処理に代えて、図９に示す処理を行ってもよい。
図９は、利用証発行装置１および管理サーバ１００により実行される処理の流れの他の例を示すフローチャートである。図９におけるステップＳ２００からステップＳ２１２までの処理については、図８と同様であるため、説明を省略する。
【００３８】
利用証発行装置１の制御部２０は、最新の利用履歴を管理サーバ１００から受信すると、投入された金額が利用証の発行料金以上であることを示す情報が金銭収受部１２から入力されたか否かを判定する（ステップＳ２１３）。投入された金額が利用証の発行料金以上であることを示す情報が金銭収受部１２から入力されると、利用証発行装置１の制御部２０は、通信部１１により受信された情報に基づいて、利用履歴を入力・表示部４に表示させる（ステップＳ２１４）。次に、利用証発行装置１の制御部２０は、表示させた利用履歴のうち１つの利用履歴が選択されたか否かを判定する（ステップＳ２１６）。
【００３９】
表示させた利用履歴のうち１つの利用履歴が選択されると、利用証発行装置１の制御部２０は、利用証の発行を管理サーバ１００に通知するように通信部１１を制御する（ステップＳ２２０）。管理サーバ１００は、選択された利用履歴に対応する画像データを利用証発行装置１に送信するようにサーバ側通信部１１０を制御する（ステップＳ２２２）。
【００４０】
画像データを受信すると、利用証発行装置１の制御部２０は、画像データを反映させて利用証を発行するように発行部１３を制御する（ステップＳ２２４）。次に、利用証発行装置１の制御部２０は、ＥＴＣカードを利用者に返却するように、図示しない排出機構を制御する（ステップＳ２２６）。一方、管理サーバ１００のサーバ側制御部１２０は、利用履歴の対象レコードにおける「発行済」の項目を、「済」に変更する（ステップＳ２２８）。
【００４１】
以上のような制御により、利用証発行装置１は、有料道路の利用証を自動的に発行することができる。また、管理サーバ１００は、利用証発行装置１に有料道路の利用証を自動的に発行させることができる。これによって、利用証発行装置１および管理サーバ１００は、有料道路の利用を促進することができる。一部の利用者の間では、新しく開通した路線を利用したことを示す利用証は、記念品としての価値が高いからである。
【００４２】
また、利用証発行装置１および管理サーバ１００によれば、対象区間の先着順が表示される利用証を発行するため、利用証の記念品としての価値を高めることができる。また、利用証発行装置１および管理サーバ１００によれば、対象区間の土地柄を表す図案が表示される利用証を発行するため、利用証の記念品としての価値を更に高めることができる。
【００４３】
なお、上記実施形態において説明した事項は、適宜、省略または変更されてもよい。例えば、対象区間テーブル１３６から「開始日時」と「終了日時」の項目が省略され（すなわちその日において有効な対象区間のみのデータが格納され）、図８または図９のステップＳ２１２の処理においてサーバ側制御部１２０は、サーバ側通信部１１０により受信したレコード数分の最新の利用履歴であって、利用者のＩＤ、対象区間、先着順、および発行場所に関する条件を満たす利用履歴を利用履歴テーブル１３４から読み出し（抽出）してもよい。また、同様に対象区間テーブル１３６から「発行場所」の項目、或いはその他の項目が省略されてもよい。
【００４４】
以上説明した少なくともひとつの実施形態によれば、有料の交通機関（有料道路）の利用に用いられる媒体（ＥＴＣカード）から利用者の識別情報を読み取るリーダ部１０と、交通機関の利用を管理する管理サーバ１００と通信する通信部１１と、交通機関の利用を証する利用証を発行する発行部１３と、リーダ部１０により読み取られた利用者の識別情報を管理サーバ１００に送信するように通信部１１を制御し、管理サーバ１００から返信され通信部１１により受信された情報に基づいて、利用証を発行するように発行部１３を制御する制御部２０と、を持つことにより、有料道路の利用証を自動的に発行することができる。
【００４５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４６】
１…利用証発行装置、２…ＥＴＣカード挿入口、３…割引券排出口、４…入力・表示部、５…コイン投入口、６…利用証排出口、１０…リーダ部、１１…通信部、１２…金銭収受部、１３…発行部、２０…制御部、１００…管理サーバ、１１０…サーバ側通信部、１２０…サーバ側制御部、１３０…記憶部、１３２…個人情報テーブル、１３４…利用履歴テーブル、１３６…対象区間テーブル
【図１】
0006363514.tif 000002
【図２】
0006363514.tif 000003
【図３】
0006363514.tif 000004
【図４】
0006363514.tif 000005
【図５】
0006363514.tif 000006
【図６】
0006363514.tif 000007
【図７】
0006363514.tif 000008
【図８】
0006363514.tif 000009
【図９】
0006363514.tif 000010